(57)【特許請求の範囲】
【請求項１】
ナビゲーション情報を入力する操作部を有する操作パネルを装置本体より着脱可能なナビゲーション装置において、
前記操作パネルは、前記操作パネルの背面に設けられた表示部と、
前記操作部から入力されたナビゲーション入力情報を記憶可能な記憶部と、
前記ナビゲーション入力情報を設定する画面を前記表示部に表示したり、前記ナビゲーション入力情報を前記記憶部に記憶したりする入力情報表示・記憶制御部と、
前記操作パネルが装置本体に装着されたとき、前記記憶部に記憶されているナビゲーション入力情報を装置本体に送信する入力情報送信部と、
を備えたことを特徴とするナビゲーション装置。
【発明の詳細な説明】
【０００１】
【発明の属する技術分野】
本発明はナビゲーション装置に係わり、特に目的地設定などのナビゲーション情報を入力する操作部を有する操作パネルを装置本体より着脱可能なナビゲーション装置に関する。
【０００２】
【従来の技術】
車両の走行案内を行い、ユーザーが所望の目的地に到達できるようにしたナビゲーション装置は、車両の位置を検出して、ＤＶＤ−ＲＯＭ等の記憶媒体から車両位置周辺の地図データを読み出し、該地図データに基づき自車の進行方向や街路名を表示部ＦＤＳＰ（図４）に表示する。そして、車両の移動により現在位置が変化するに従い、画面に進行方向や現在の街路名等を適切に表示する。かかるナビゲーション装置は、出発地から目的地までの誘導経路を探索し、該誘導経路を地図上に表示するとともに交差点案内（進行方向の表示）を行う経路誘導機能を備えている。又、盗難防止機構として、操作パネルＮＮＶを装置本体ＭＮＶより着脱可能になっている。
【０００３】
【発明が解決しようとする課題】
しかしながら、従来のナビゲーション装置では、例えば、目的地設定の際、長い名称の目的地を入力する場合、表示部ＦＤＳＰ（図４）が小さいため、目的地名が表示部ＦＤＳＰの表示画面中に十分に表示できないという問題があった。
以上から本発明の目的は、目的地設定等を行うときに長い名称を有する目的地でも表示可能にすることにより、目的地名等のナビゲーション入力情報を確認しやすくすることである。
【０００４】
【課題を解決するための手段】
上記課題は、本発明によれば、ナビゲーション情報を入力する操作部を有する操作パネルを装置本体より着脱可能なナビゲーション装置において、前記操作パネルは、前記操作パネルの背面に設けられた表示部と、前記操作部から入力されたナビゲーション入力情報を記憶可能な記憶部と、前記ナビゲーション入力情報を設定する画面を前記表示部に表示したり、前記ナビゲーション入力情報を前記記憶部に記憶したりする入力情報表示・記憶制御部と、前記操作パネルが装置本体に装着されたとき、前記記憶部に記憶されているナビゲーション入力情報を装置本体に送信する入力情報送信部と、を備えたことにより達成される。
【０００５】
【発明の実施の形態】
（Ａ）本発明の概略説明
図１は本発明の概略説明図であり、ＮＮＶは着脱可能な操作パネル、ＢＤＳＰは背面表示部、ＯＰＳＷは操作パネルＮＮＶの側面に設けられると共に目的地等を入力するための操作部、ＮＣＯＮはナビゲーション装置本体と接続されるコネクタ、ＭＮＶはナビゲーション装置本体、ＭＣＯＮは操作パネルＮＮＶのコネクタＮＣＯＮと接続するコネクタである。
図１では、操作部ＯＰＳＷを側面に設けたが、背面表示部ＢＤＳＰが所定の大きさとなるように配置あるいは縮小等をして背面に設けてもよい。
【０００６】
本発明に係るナビゲーション装置では、目的地等を設定するとき、ユーザーは操作パネルＮＮＶ（図１）をナビゲーション装置本体ＭＮＶより取り外し、背面表示部ＢＤＳＰを見ながら操作部ＯＰＳＷより目的地等を入力する。次に、入力が終了し、前記操作パネルＮＮＶを前記装置本体ＭＮＶに装着すると入力された目的地等のナビゲーション入力情報が該操作パネルＮＮＶより該本体ＭＮＶに送信される。ついで該本体ＭＮＶは受信した目的地等のナビゲーション入力情報より経路探索を行い、経路誘導を開始する。
【０００７】
（Ｂ）本発明の実施例
（ａ）本発明のナビゲーション装置の構成
図２は本発明のナビゲーション装置の構成図である。図中、１１は目的地等のナビゲーション情報を入力する操作部、１２は操作部１１から入力されたナビゲーション情報を記憶する記憶部であるメモリ、１３は例えば、経路誘導時街路名や右左折の表示をする操作パネルＮＮＶの前面表示部、１４は目的地等の設定を行うときに操作部１１から入力されたナビゲーション入力情報を表示すると共に所定の大きさに拡大された操作パネルＮＮＶの背面表示部、１５は操作部１１より入力されたナビゲーション入力情報をメモリ１２に記憶させると共に、該ナビゲーション入力情報に基づく表示設定を背面表示部１４へ表示させ、また操作パネルＮＮＶ（図１）がナビゲーション装置本体ＭＮＶ（図１）に装着されたとき、メモリ１２に記憶したナビゲーション入力情報をナビゲーション装置本体ＭＮＶに送信する制御部、例えばマイクロコントローラユニット（ＭＣＵ）、１６はナビゲーション装置本体ＭＮＶと接続し、該本体ＭＮＶとの通信に使用されるコネクタ、１７は操作パネルＮＮＶがナビゲーション装置本体ＭＮＶに装着されているとき、該本体ＭＮＶより前記コネクタ１６を通して電力を供給され充電を行い、操作パネルＮＮＶが該本体ＭＮＶより取り外された場合、該操作パネルＮＮＶに電力を供給する充電池である。
【０００８】
１８は操作パネルＮＮＶと接続し、該操作パネルＮＮＶとの通信に使用されるコネクタ、１９は地図情報を記憶する地図記憶媒体で、例えばＤＶＤ−ＲＯＭ、２０はＤＶＤ−ＲＯＭ１９からの地図情報の読み取りを制御するＤＶＤ−ＲＯＭ制御部、２１は車両の現在位置を測定する車両位置測定装置であり、移動距離を検出する車速センサー、移動方位を検出する角速度センサー、ＧＰＳレシーバ、位置計算用ＣＰＵ等で構成されている。２２はＤＶＤ−ＲＯＭ１９から読み出した地図情報を記憶する地図情報メモリ、２３はナビゲーション装置全体を制御するプロセッサ（ＣＰＵ）であり、操作部１１の操作指示により各種制御を行う。２４は各種プログラム（誘導経路探索プログラム等）を記憶するＲＯＭ、２５は各種プログラムによる処理結果（経路探索結果等）を記憶するＲＡＭ、２６はプロセッサ２３により求められた誘導経路等を案内するときに音声を発生させる音声発生部、２７は音声発生部２６より発生された音声を外部に出力するスピーカーである。
【０００９】
（ｂ）本発明のナビゲーション装置の動作フローチャート
図３は本発明のナビゲーション装置の動作フローチャートである。
まず、操作パネルＮＮＶがナビゲーション装置本体ＭＮＶからとり外されたか否かを操作パネルＮＮＶのＭＣＵ１５が判定し（ステップ１０１）、外されていないときは何も処理を行わず、外された場合は操作パネルＮＮＶの電源を自動的に該操作パネルＮＮＶ内部の充電池１７に切り替える（ステップ１０２）。次に、操作パネルＮＮＶの背面表示部１４にＭＣＵ１５の制御で目的地等の設定画面を表示し（ステップ１０３）、設定画面に従ってユーザーは操作部１１より目的地等のナビゲーション情報を入力する（ステップ１０４）。
【００１０】
ついで、操作部１１より入力されたナビゲーション入力情報をＭＣＵ１５の制御によりメモリ１２に記憶する（ステップ１０５）。次に、操作パネルＮＮＶが装置本体ＭＮＶに装着されたか否かをＭＣＵ１５が判定し（ステップ１０６）、装着されていない場合はステップ１０４に戻り、引き続き所定の処理を続ける。一方、装着されたときは、ステップ１０５でメモリ１２に記憶されたナビゲーション入力情報をＭＣＵ１５が装置本体ＭＮＶへ送信する（ステップ１０７）。ついで、受信したナビゲーション入力情報を装置本体ＭＮＶのＣＰＵ２３により、ＲＯＭ２４に記憶された誘導経路探索プログラムを用いて誘導経路を算出し（ステップ１０８）、誘導経路算出が終了したか否かを判定する（ステップ１０９）。誘導経路算出が終了していなければ、ステップ１０８に戻り引き続き誘導経路算出の処理を続け、誘導経路算出が終了したときルート案内を開始する（ステップ１１０）。
尚、本実施例では操作パネルＮＮＶに装置本体ＭＮＶより充電が可能な充電池を備えたが、独立した電源を装置パネルＮＮＶに備えても構わない。又、操作パネルＮＮＶと装置本体ＭＮＶとの接続にコネクタを用いたが、ＩｒＤＡ等の無線接続も可能である。
【００１１】
【発明の効果】
以上、本発明によれば、ナビゲーション情報を入力する操作部を有する操作パネルを装置本体より着脱可能なナビゲーション装置において、前記操作パネルは、前記操作パネルの背面に設けられた表示部と、前記操作部から入力されたナビゲーション入力情報を記憶可能な記憶部と、前記ナビゲーション入力情報を設定する画面を前記表示部に表示したり、前記ナビゲーション入力情報を前記記憶部に記憶したりする入力情報表示・記憶制御部と、前記操作パネルが装置本体に装着されたとき、前記記憶部に記憶されているナビゲーション入力情報を装置本体に送信する入力情報送信部とを備えるようにしたので、長い名称を有する目的地設定等のナビゲーション入力情報を確認しやすくすることができる。
【図面の簡単な説明】
【図１】本発明の概略説明図である。
【図２】本発明のナビゲーション装置の構成図である。
【図３】本発明のナビゲーション装置の動作フローチャートである。
【図４】従来のナビゲーション装置の説明図である。
【符号の説明】
ＭＮＶ・・ナビゲーション装置本体
ＭＣＯＮ・・操作パネルＮＮＶのコネクタＮＣＯＮと接続するコネクタ
ＮＮＶ・・着脱可能な操作パネル
ＮＣＯＮ・・ナビゲーション装置本体ＭＮＶと接続されるコネクタ
ＯＰＳＷ・・目的地等を入力するための操作部
ＢＤＳＰ・・背面表示部
【図１】
0003884211.tif 000002
【図２】
0003884211.tif 000003
【図３】
0003884211.tif 000004
【図４】
0003884211.tif 000005